(57)【特許請求の範囲】
【請求項１】
ユーザーが指定した地図上の領域を指定領域として取得する領域取得手段と、
地図上の前記指定領域内にアイコンを配置するアイコン配置手段と、
前記指定領域内の地物における代表地物を決定するための代表選定値、及び前記地物の属性を示す属性データを地物毎に記憶する記憶手段と、
前記指定領域内に存在する地物を、同一の前記属性を有する対象地物群に区分けする属性区分手段と、を備え、
前記アイコン配置手段は、前記指定領域内に存在する地物を集約したことを示す集約アイコンを、地図上の前記指定領域内に配置し、前記集約アイコンを含むアイコン表示領域を設定し、前記指定領域内から前記代表選定値に基づいて抽出した代表地物に対応する代表アイコン、及び、各対象地物群に対応する属性アイコンを、前記指定領域内に存在する地物に対応したアイコンとして前記アイコン表示領域内に配置する
ことを特徴とする地図出力装置。
【請求項２】
請求項１に記載の地図出力装置において、
前記アイコン配置手段は、前記アイコン表示領域の領域外周に沿って、前記指定領域内に存在する地物に対応したアイコンを配置する
ことを特徴とする地図出力装置。
【請求項３】
請求項１又は請求項２に記載の地図出力装置において、
前記アイコン表示領域は、前記集約アイコンを中心とした円環状の領域であり、
前記アイコン配置手段は、前記アイコン表示領域の円外周に沿って前記指定領域内に存在する地物に対応したアイコンを配置する
ことを特徴とする地図出力装置。
【請求項４】
請求項１から請求項３のいずれかに記載の地図出力装置において、
前記アイコン配置手段は、前記対象地物群に属する前記地物に対する前記代表選定値に基づいて選定された所定数の対象地物群に対応する前記属性アイコンを配置する
ことを特徴とする地図出力装置。
【請求項５】
請求項１から請求項４のいずれかに記載の地図出力装置において、
前記アイコン配置手段は、前記属性アイコンに対して、当該属性アイコンに対応する前記対象地物群に属する地物から前記代表選定値に基づいて抽出された地物の地物名を関連付け、前記アイコンを選択するために表示されるカーソルが当該属性アイコン上に移動した際に、当該属性アイコンに関連付けられた前記地物名を表示させる
ことを特徴とする地図出力装置。
【請求項６】
請求項１から請求項５のいずれかに記載の地図出力装置において、
広告主側端末装置から送信される、広告対象の前記地物に対する入札額を受け付ける入札受付手段を備え、
前記アイコン配置手段は、前記入札額を前記代表選定値として、当該入札額が大きい順に所定数のアイコンを配置する
ことを特徴とする地図出力装置。
【請求項７】
請求項１から請求項５のいずれかに記載の地図出力装置において、
前記アイコン配置手段により前記指定領域内に存在する地物に対応したアイコンとして表示させる選択条件を取得する条件取得手段を有し、
前記記憶手段は、前記条件取得手段により取得可能な複数の選択条件に対応した複数の代表選定値を記憶し、
前記アイコン配置手段は、前記条件取得手段により取得された前記選択条件に対応した代表選定値に基づいて、所定数のアイコンを配置する
ことを特徴とする地図出力装置。
【請求項８】
請求項１から請求項７のいずれかに記載の地図出力装置において、
前記地図上に配置した前記指定領域内に存在する地物に対応したアイコンは、集約アイコンであり、
前記アイコン配置手段は、前記指定領域内に存在する地物に対応したアイコンを選択する入力操作に基づいて、集約された地物に対応したアイコンを表示させる
ことを特徴とした地図出力装置。
【請求項９】
請求項１から請求項８のいずれかに記載に地図出力装置において、
前記地物を検索するためのキーワードを取得するキーワード取得手段と、
前記キーワードに対応した前記地物を検索する地物検索手段と、を備え、
前記アイコン配置手段は、前記地物検索手段により検索された前記地物が含まれる領域上に、前記集約アイコンを配置し、前記領域取得手段により、前記指定領域が取得されると、当該指定領域に存在する地物に対応したアイコンを配置する
ことを特徴とする地図出力装置。
【請求項１０】
コンピューターにより、地図上にアイコンを配置させる地図出力方法であって、
前記コンピューターは、
ユーザーが指定した地図上の領域を指定領域として取得する領域取得ステップと、
記憶手段に地物毎に記憶された前記地物の属性を示す属性データに基づいて、前記指定領域内に存在する地物を、同一の前記属性を有する対象地物群に区分けする属性区分ステップと、
地図上の前記指定領域内にアイコンを配置するアイコン配置ステップと、を実施し、
前記アイコン配置ステップにおいて、前記指定領域内に存在する地物を集約したことを示す集約アイコンを、地図上の前記指定領域内に配置し、前記集約アイコンを含むアイコン表示領域を設定し、記憶手段に地物毎に記憶された前記指定領域内の地物における代表地物を決定するための代表選定値に基づいて抽出された前記指定領域内の代表地物に対応する代表アイコン、及び、各対象地物群に対応する属性アイコンを、前記指定領域内に存在する地物に対応したアイコンとして前記アイコン表示領域内に配置する
ことを特徴とする地図出力方法。
【請求項１１】
地図上にアイコンを配置させる地図出力プログラムであって、
ユーザーが指定した地図上の領域を指定領域として取得する領域取得ステップと、
記憶手段に地物毎に記憶された前記地物の属性を示す属性データに基づいて、前記指定領域内に存在する地物を、同一の前記属性を有する対象地物群に区分けする属性区分ステップと、
地図上の前記指定領域内にアイコンを配置するアイコン配置ステップと、をコンピューターに実行させ、
前記アイコン配置ステップにおいて、前記指定領域内に存在する地物を集約したことを示す集約アイコンを、地図上の前記指定領域内に配置し、前記集約アイコンを含むアイコン表示領域を設定し、記憶手段に地物毎に記憶された前記指定領域内の地物における代表地物を決定するための代表選定値に基づいて抽出された前記指定領域内の代表地物に対応する代表アイコン、及び、各対象地物群に対応する属性アイコンを、前記指定領域内に存在する地物に対応したアイコンとして前記アイコン表示領域内に配置する
ことを特徴とする地図出力プログラム。
【発明の詳細な説明】
【技術分野】
【０００１】
本発明は、地図出力装置、地図出力方法、地図出力プログラムに関する。
【背景技術】
【０００２】
従来、地図上に、施設を示すアイコンを重畳させて表示させる地図表示装置が知られている。ところで、所定の領域内に複数の施設が存在する場合がある。このような場合、地図表示装置により表示される地図上に、施設に対応したアイコンを重畳表示させると、複数のアイコンが重なり合って表示されることになり、視認性が悪化してしまうという課題がある。
【０００３】
これに対して、重なり合うアイコンがある場合、これらのアイコンを代表するアイコンを代わりに表示させる装置が知られている（例えば、特許文献１、及び特許文献２参照）。
この特許文献１に記載の地図表示装置は、地図上に重なり合うアイコンが存在する場合に、これらの重なり合うアイコンの属性よりも上位の属性のアイコンを表示させることで、アイコンの重なり合いによる視認性の悪化を回避する構成が採られている。
特許文献２に記載の地図表示装置（カーナビゲーション装置）は、地図上の重なり合うアイコン（ロゴマーク）の代わりに、代表アイコン（代表ロゴマーク,大代表ロゴマーク）を表示して視認性の悪化を回避する構成が採られている。
【先行技術文献】
【特許文献】
【０００４】
【特許文献１】特開２００９−２５８５８３号公報
【特許文献２】特開２００４−６９５６１号公報
【発明の概要】
【発明が解決しようとする課題】
【０００５】
ところで、特許文献１では、重なり合うアイコンの表示位置の中心位置に上位の属性のアイコンを表示させる。また、特許文献２では、重なり合うアイコンが存在する区画の中心に代表アイコンを表示させる。したがって、上記特許文献１や特許文献２では、本来の施設が存在する建物等のエリアが分かりにくくなるという課題がある。
【０００６】
本発明は、アイコンの重なり合いによる視認性の悪化を回避でき、かつ、地物の位置を容易に把握可能な地図出力装置、地図出力方法、地図出力プログラムを提供することを目的とする。
【課題を解決するための手段】
【０００７】
本発明の地図出力装置は、ユーザーが指定した地図上の領域を指定領域として取得する領域取得手段と、地図上の前記指定領域内にアイコンを配置するアイコン配置手段と、前記指定領域内の地物における代表地物を決定するための代表選定値、及び前記地物の属性を示す属性データを地物毎に記憶する記憶手段と、前記指定領域内に存在する地物を、同一の前記属性を有する対象地物群に区分けする属性区分手段と、を備え、前記アイコン配置手段は、前記指定領域内に存在する地物を集約したことを示す集約アイコンを、地図上の前記指定領域内に配置し、前記集約アイコンを含むアイコン表示領域を設定し、前記指定領域内から前記代表選定値に基づいて抽出した代表地物に対応する代表アイコン、及び、各対象地物群に対応する属性アイコンを、前記指定領域内に存在する地物に対応したアイコンとして前記アイコン表示領域内に配置することを特徴とする。
【０００８】
本発明の地図出力装置では、前記アイコン配置手段は、前記アイコン表示領域の領域外周に沿って、前記指定領域内に存在する地物に対応したアイコンを配置することが好ましい。
【０００９】
本発明の地図出力装置では、前記アイコン表示領域は、前記集約アイコンを中心とした円環状の領域であり、前記アイコン配置手段は、前記アイコン表示領域の円外周に沿って前記指定領域内に存在する地物に対応したアイコンを配置することが好ましい。
【００１０】
本発明の地図出力装置は、前記アイコン配置手段は、前記対象地物群に属する前記地物に対する前記代表選定値に基づいて選定された所定数の対象地物群に対応する前記属性アイコンを配置することが好ましい。
本発明の地図出力装置は、前記アイコン配置手段は、前記属性アイコンに対して、当該属性アイコンに対応する前記対象地物群に属する地物から前記代表選定値に基づいて抽出された地物の地物名を関連付け、前記アイコンを選択するために表示されるカーソルが当該属性アイコン上に移動した際に、当該属性アイコンに関連付けられた前記地物名を表示させることが好ましい。
【００１１】
本発明の地図出力装置は、広告主側端末装置から送信される、広告対象の前記地物データに対する入札額を受け付ける入札受付手段を備え、前記アイコン配置手段は、前記入札額を前記代表選定値として、当該入札額が大きい順に所定数のアイコンを配置する。
【００１２】
本発明の地図出力装置は、前記アイコン配置手段により前記指定領域内に存在する地物に対応したアイコンとして表示させる選択条件を取得する条件取得手段を有し、前記地物データは、前記条件取得手段により取得可能な複数の選択条件に対応した複数の代表選定値を有し、前記アイコン配置手段は、前記条件取得手段により取得された前記選択条件に対応した代表選定値に基づいて、所定数のアイコンを配置することが好ましい。
【００１４】
本発明の地図出力装置では、前記地図上に配置した前記指定領域内に存在する地物に対応したアイコンは集約アイコンであり、前記アイコン配置手段は、前記指定領域内に存在する地物に対応したアイコンを選択する入力操作に基づいて、集約された地物に対応したアイコンを表示させることが好ましい。
【００１５】
本発明の地図出力装置は、前記地物を検索するためのキーワードを取得するキーワード取得手段と、前記キーワードに対応した前記地物を検索する地物検索手段と、を備え、前記アイコン配置手段は、前記地物検索手段により検索された前記地物が含まれる領域上に、前記集約アイコンを配置し、前記領域取得手段により、前記指定領域が取得されると、当該指定領域に存在する地物に対応したアイコンを配置することが好ましい。
【００１６】
本発明の地図出力方法は、コンピューターにより、地図上にアイコンを配置させる地図出力方法であって、前記コンピューターは、ユーザーが指定した地図上の領域を指定領域として取得する領域取得ステップと、記憶手段に地物毎に記憶された前記地物の属性を示す属性データに基づいて、前記指定領域内に存在する地物を、同一の前記属性を有する対象地物群に区分けする属性区分ステップと、地図上の前記指定領域内にアイコンを配置するアイコン配置ステップと、を実施し、前記アイコン配置ステップにおいて、前記指定領域内に存在する地物を集約したことを示す集約アイコンを、地図上の前記指定領域内に配置し、前記集約アイコンを含むアイコン表示領域を設定し、記憶手段に地物毎に記憶された前記指定領域内の地物における代表地物を決定するための代表選定値に基づいて抽出された前記指定領域内の代表地物に対応する代表アイコン、及び、各対象地物群に対応する属性アイコンを、前記指定領域内に存在する地物に対応したアイコンとして前記アイコン表示領域内に配置することを特徴とする。
【００１７】
本発明の地図出力プログラムは、地図上にアイコンを配置させる地図出力プログラムであって、ユーザーが指定した地図上の領域を指定領域として取得する領域取得ステップと、記憶手段に地物毎に記憶された前記地物の属性を示す属性データに基づいて、前記指定領域内に存在する地物を、同一の前記属性を有する対象地物群に区分けする属性区分ステップと、地図上の前記指定領域内にアイコンを配置するアイコン配置ステップと、をコンピューターに実行させ、前記アイコン配置ステップにおいて、前記指定領域内に存在する地物を集約したことを示す集約アイコンを、地図上の前記指定領域内に配置し、前記集約アイコンを含むアイコン表示領域を設定し、記憶手段に地物毎に記憶された前記指定領域内の地物における代表地物を決定するための代表選定値に基づいて抽出された前記指定領域内の代表地物に対応する代表アイコン、及び、各対象地物群に対応する属性アイコンを、前記指定領域内に存在する地物に対応したアイコンとして前記アイコン表示領域内に配置することを特徴とする。
【図面の簡単な説明】
【００１８】
【図１】第一実施形態に係る地図出力装置である地図出力システムの概略構成を示すブロック図。
【図２】第一実施形態における地物データの登録処理を示すフローチャート。
【図３】第一実施形態における地図出力方法（地図表示処理）のフローチャート。
【図４】第一実施形態において表示されるアイコン地図の一例を示す図。
【図５】第一実施形態においてアイコンが指定された際の処理を示すフローチャート。
【図６】第一実施形態において表示されるアイコン地図の他の一例を示す図。
【図７】第一実施形態における第三アイコンの一表示例を示す図。
【図８】第一実施形態における第三アイコンの他の表示例を示す図。
【図９】第一実施形態における第三アイコンの他の表示例を示す図。
【図１０】第一実施形態におけるリスト表示窓の表示例を示す図。
【図１１】第三実施形態における集約アイコンの表示例を示す図。
【図１２】他の実施形態において、指定領域の領域範囲の他の例を示す図。
【図１３】他の実施形態において、第二アイコンの他の表示例を示す図。
【図１４】他の実施形態において、切替アイコンの表示例を示す図。
【図１５】他の実施形態において、切替アイコンの他の表示例を示す図。
【発明を実施するための形態】
【００１９】
以下、本発明に係る第一実施形態について、図面に基づいて説明する。
［地図出力システムの構成］
図１は、第一実施形態に係る地図出力装置である地図出力システムの概略構成を示すブロック図である。
図１に示すように、本実施形態の地図出力システム１は、ネットワーク２（インターネット）を介して互いに接続されるサーバ装置１０、及び端末装置２０により構成されている。この地図出力システム１は、サーバ装置１０から端末装置２０に地図データを送信し、端末装置２０で地図を表示させるシステムである。また、ネットワーク２には、広告主側端末装置３０や、広告主が提供する広告を配信するための広告配信サーバ装置４０等が接続される。
【００２０】
なお、ネットワーク２は、ＴＣＰ／ＩＰ等の汎用プロトコルに基づくインターネットであるが、これに限定されない。例えば、ＬＡＮ（Local Area Network）、無線媒体により情報が送受信可能な複数の基地局がネットワークを構成する通信回線網など、データを送受信させるいずれの構成も利用できる。
また、広告配信サーバ装置４０は、例えば地物（店舗等の施設）の紹介や、商品のオンラインショッピングが可能な広告用Ｗｅｂページを配信する装置である。なお、本実施形態では、広告配信サーバ装置４０に、広告用Ｗｅｂページが記憶される例を示すが、例えば広告主側端末装置３０やサーバ装置１０に広告用Ｗｅｂページが記憶される構成などとしてもよい。
【００２１】
［サーバ装置の構成］
サーバ装置１０は、ハードウェア構成として、メモリ等により構成される記憶手段１１と、ＣＰＵ（Central Processing Unit）等により構成される制御手段１２と、を備えている。
記憶手段１１は、データを一時的に記憶可能な一時領域等を有するＲＡＭ（Random Access Memory）や、ＯＳ（Operating System）や各種プログラム、各種アプリケーション、各種データが格納されるＲＯＭ（Read Only Memory）等を備える。
そして、制御手段１２は、記憶手段１１に記憶される各種プログラムを読み出し、このプログラムに従って各種処理を行う。
【００２２】
[記憶手段に記憶される各種データ]
記憶手段１１には、図１に示すように、地図記憶部１１１、ポリゴン記憶部１１２、地物記憶部１１３、及びアイコン記憶部１１４が設けられる。
地図記憶部１１１は、地図を表示させるための地図データを記憶する。また、地図データの地図は、複数の領域（選択可能領域）に分割されており、各選択可能領域には、当該選択可能領域を識別するための領域ＩＤが設定されている。
ここで、本実施形態では、建築物単位、又は近接する複数の建築物の集まりの単位で選択可能領域が設定されている。例えばデパート等、１つの建築物により１つの施設を構成する場合は、当該１つの建築物を選択可能領域とし、例えばテーマパークや、ショッピングセンター等、複数の建築物により１つの施設を構成する場合は、これらの１つの施設を構成する複数の建築物を含む領域を選択可能領域として設定することが好ましい。
なお、選択可能領域としては、上記に限定されず、例えば、道路等により囲われる区間単位や、地区単位、市町村単位等、より面積が大きい領域に設定されていてもよい。また、地図を例えば緯度経度等によって複数の矩形領域に分割し、これらの矩形領域のそれぞれを選択可能領域として設定してもよい。
【００２３】
ポリゴン記憶部１１２は、地図上に、建築物の立体画像を重畳させて表示させる際に用いられるポリゴンデータを記憶する。ポリゴンデータは、表１に示すように、各ポリゴンを識別するポリゴンＩＤ、建築物名、地図における建築物の位置、及び建築物が含まれる領域（選択可能領域）の領域ＩＤ等が関連付けられて記憶されている。
【００２４】
【表１】
0005542116.tif 000002
【００２５】
地物記憶部１１３は、地図上の地物に関連した地物データを記憶する。この地物データは、表２に示すように、地物を識別する地物ＩＤ、地物名、属性データであるカテゴリー、代表選定値である入札額、地物の広告用ＷｅｂページのＵＲＬアドレスである広告先ＵＲＬ、地図上に表示させるアイコンを指定するためのアイコンＩＤ、地物が含まれる建築物を示すポリゴンＩＤ等を含む地物データが複数記憶されている。ここで、本発明で述べる地物とは、地上に存在する建築物や観光スポットの他、建築物内に存在する施設や観光スポット等を含むものであり、人工物及び自然物の双方を含むものである。なお、表２では、建築物に含まれる施設を地物とした例を示す。
【００２６】
【表２】
0005542116.tif 000003
【００２７】
なお、ここでは、属性データとして、地物の種別を示すカテゴリーを例示するが、これに限定されず、例えば、建築物において地物が位置する階数や、テーマパーク等において地物が位置するフィールド等を示したエリアなどを備えてもよい。
また、カテゴリーとして、さらに、上位カテゴリーが記憶されるデータとしてもよい。例えば、「レストラン」や「ファーストフード」といったカテゴリーに対して、「飲食店」等の上位カテゴリーが設定されていてもよい。また、カテゴリーに対する上位カテゴリーは、別途、カテゴリーツリーとして、記憶手段１１に記憶されていてもよい。
また、代表選定値である入札額は、地物ＩＤにより特定される地物の広告主により設定される値である。この入札額は、広告主からサーバ装置１０の管理者に入金処理が実施されることで、登録される値である。
【００２８】
アイコン記憶部１１４は、地図上に表示させるアイコン画像が記憶される。これらのアイコン画像にはそれぞれアイコンＩＤが関連付けられている。
【００２９】
[制御手段により実施される機能構成]
制御手段１２は、記憶手段１１に記憶される各種プログラムを読み込んで実行することにより、図１に示すように、地図ページ送信手段１２１、領域取得手段１２２、対象地物取得手段１２３、属性区分手段１２４、アイコン配置手段１２５、ページ転送手段１２６、及び入札受付手段１２７を備える。
地図ページ送信手段１２１は、端末装置２０から地図の配信要求を受けると、地図記憶部１１１から配信要求に対応した地図を含む地図データを取得し、端末装置２０に送信する。すなわち、地図ページ送信手段１２１は、本発明の地図配信手段として機能する。
領域取得手段１２２は、端末装置２０から送信される指定領域（複数の選択可能領域のうちの１つ）を取得する。
対象地物取得手段１２３は、地物記憶部１１３から指定領域に対応した地物を検索する。
属性区分手段１２４は、対象地物取得手段１２３により検索された地物（対象地物）を、カテゴリーが同一である複数の対象地物群に区分けする。
アイコン配置手段１２５は、検索された地物に対応したアイコンを地図上に配置させるアイコン表示指令を出力する。
ページ転送手段１２６は、端末装置２０から所定のアイコンが選択する指令が入力された際に、アイコンに対応した地物の広告先の広告用Ｗｅｂページを端末装置２０に転送する。
入札受付手段１２７は、ネットワーク２を介して広告主側端末装置３０から入力される所定の地物ＩＤで特定される地物の入札額を受け付ける。また、入札受付手段１２７は、入力された入札額を、地物記憶部１１３の地物データに入力して更新する。
なお、各構成の具体的な動作（処理）については、後述する。
【００３０】
［端末装置の構成］
本実施形態の端末装置２０は、図１に示すように、サーバ装置１０から送信される地図等を表示可能な表示手段２１、マウスやキーボード等の操作手段２２、各種データを記憶する端末記憶手段２３、及び端末制御手段２４を備える。
端末記憶手段２３には、例えばサーバ装置１０から送信された地図等を一時的に記憶する一時記憶領域が設けられる。また、端末記憶手段２３には、各種処理を実施する各種プログラムや各種データが記憶される。
端末制御手段２４は、端末記憶手段２３に記憶された各種プログラムを読み込み、プログラムに基づいた処理を実行する。
このような端末装置２０としては、例えば、一般的なパーソナルコンピューター、携帯電話やスマートフォン等の携帯型端末機器、通信機能付きのテレビやカーナビゲーション装置等を例示することができる。
【００３１】
［広告主側端末装置の構成］
広告主側端末装置３０は、サーバ装置１０の後述する地物記憶部１１３に、広告対象の地物を登録した広告主が管理する端末装置である。この広告主側端末装置３０は、端末装置２０と同様のハードウェア構成を有する。また、広告主側端末装置３０には、サーバ装置１０から地物データを登録した際に、地物ＩＤが報知され、次回以降広告主側端末装置３０からサーバ装置１０にアクセスする際、地物ＩＤを入力することで、登録した地物データの編集が可能となる。また、広告主側端末装置３０は、広告対象の地物を代表アイコンとして表示させるために入札を実施することができる。
【００３２】
[地図出力システムの動作]
[地物データ登録処理]
次に、上述したような地図出力システム１を用いた地図出力方法について、図面を参照しながら詳細に説明する。
図２は、本実施形態における地物データの登録処理を示すフローチャートである。
端末装置２０の表示手段２１に地物のアイコンを表示させるためには、サーバ装置１０の記憶手段１１に地物データを記憶させておく必要がある。これには、以下の処理が実施される。
すなわち、サーバ装置１０の記憶手段１１には、例えば、広告主に対して、地物の登録を促す登録用ページが記憶されており、広告主側端末装置３０から要求に応じて、当該登録用ページを広告主側端末装置３０に送信する。これにより、広告主は、送信された登録用ページに従って、広告主側端末装置３０からサーバ装置１０に地物データの登録や、登録内容の更新を送信することか可能となる。
【００３３】
そして、サーバ装置１０は、広告主側端末装置３０から入力された地物データの新規登録情報又は登録更新情報を受け付け（Ｓ１）、受信した情報が新規登録情報か否かを判定する（Ｓ２）。
このＳ２では、サーバ装置１０は、Ｓ１で受け付けた情報に、例えば既に登録されている地物ＩＤが含まれる場合、当該情報は、新規登録ではなく、既存情報の更新であると判定する。一方、サーバ装置１０は、Ｓ１で受け付けた情報に、地物ＩＤが含まれない場合、新規登録情報であると判定する。
【００３４】
Ｓ２において、新規登録情報であると判定された場合（「Ｙｅｓ」と判定された場合）、端末装置２０は、Ｓ１で受け付けた情報に新しい地物ＩＤを付与するとともに、地物記憶部１１３に新規の地物データを登録する（Ｓ３）。
なお、Ｓ２において、「Ｎｏ」と判定された場合、サーバ装置１０は、Ｓ１で受け付けた情報と、当該情報に含まれる地物ＩＤに対応した地物記憶部１１３の地物データとを比較し、異なる箇所がある場合には、当該箇所に対応したデータを更新する処理をしてもよい。
【００３５】
Ｓ３の後、及びＳ２で「Ｎｏ」と判定された場合、サーバ装置１０の入札受付手段１２７は、Ｓ１で受け付けた情報に入札額が含まれるか否かを判断する（Ｓ４）。
このＳ４で、入札受付手段１２７は、Ｓ１で受け付けた情報に、入札額を指定する設定情報があると判定した場合、その入札額を読み込み、地物データに登録する（Ｓ５）。
一方、Ｓ４で、入札額を指定する情報がない場合、サーバ装置１０は、地物登録処理を終了させる。
【００３６】
[地図表示処理]
次に、上述したような地図出力システム１を用いた地図出力方法について、図面を参照しながら詳細に説明する。
図３は、本実施形態における地図出力方法（地図表示処理）のフローチャートである。
【００３７】
（地図の表示）
図３に示すように、端末ユーザーにより、端末装置２０の操作手段２２が操作され、地図の配信を要求する指令が入力されると、端末制御手段２４は、サーバ装置１０に地図の配信を要求する配信要求を送信する（Ｓ１０１）。なお、この配置要求としては、地図の中心として表示させる位置や地図の尺度等を指定するパラメーターが含まれる。
【００３８】
サーバ装置１０の地図ページ送信手段１２１は、端末装置２０から配信要求が入力されると（Ｓ２０１）、地図記憶部１１１から配信要求に対応した地図を含む地図データを読み出す（Ｓ２０２）。そして、地図ページ送信手段１２１は、読み出した地図データをコンテンツの一部に貼り付けた地図配信ページを生成し、端末装置２０に送信する（Ｓ２０３）。この時、地図ページ送信手段１２１は、端末装置２０の表示手段２１で地図を表示可能な範囲に位置する建築物のポリゴンデータをポリゴン記憶部１１２から読み出し、地図配信ページと共に配信する。
なお、本実施形態では、地図ページ送信手段１２１は、生成した地図配信ページを端末装置２０に送信したが、例えば、配信要求に応じた地図データを直接端末装置２０に送信してもよい。
【００３９】
端末装置２０の端末制御手段２４は、地図配信ページを受信すると（Ｓ１０２）、受信した地図配信ページを表示手段２１に出力する（Ｓ１０３）。これにより、表示手段２１の画面上に配信要求に対応した地図が表示される。
ここで、表示される地図は、指定された尺度に基づいて表示されることになるが、例えば、端末ユーザーの操作により、拡大縮小処理を実施することで、地図の尺度を変化させることができる。そして、端末ユーザーによる拡大操作が実施され、地図の尺度が予め設定された規定尺度以上となると、端末制御手段２４は、地図上の所定位置に、当該位置に対応したポリゴンデータが重畳されて表示させる。
【００４０】
（地図上へのアイコン配置）
本実施形態の地図データは、建築物単位、又は近接する複数の建築物の集まりの単位で選択可能領域が設定されている。つまり、１つのポリゴンデータ、又は複数のポリゴンデータの集まりの単位で選択可能領域が設定されている。このため、端末ユーザーが操作手段２２を操作することで、これらの選択可能領域の１つを選択することが可能となる。ここで、端末ユーザーの操作手段２２の操作により、選択可能領域が選択されると、端末制御手段２４は、当該選択された領域を指定領域として、サーバ装置１０に送信する（Ｓ１０４）。
【００４１】
サーバ装置１０は、領域取得手段１２２により指定領域が取得されると（Ｓ２０４）、対象地物取得手段１２３により、取得した指定領域に含まれる地物を検索する（Ｓ２０５６）。
つまり、対象地物取得手段１２３は、指定領域に含まれるポリゴンデータのポリゴンＩＤを取得し、地物記憶部１１３から当該ポリゴンＩＤを含む地物データを検索する。
ここで、以降の説明において、Ｓ２０５で検索された地物及び地物データを、対象地物及び対象地物データと称す。
【００４２】
次に、属性区分手段１２４は、Ｓ２０５で検索された各対象地物データを、カテゴリー毎の対象地物群に分割する（Ｓ２０６）。なお、各地物データにカテゴリーが複数存在する場合、属性区分手段１２４は、これらの各カテゴリーのそれぞれに対して、対象地物群を区分する。例えば、「Ａショップ」のカテゴリーとして「コスメ」及び「ファッション」の２種類のカテゴリーが記憶されている場合、「コスメ」に対応した対象地物群、及び「ファッション」に対応した対象地物群のそれぞれに、「Ａショップ」を分類してもよい。
なお、地物データのカテゴリーとして、別途上位カテゴリーが記憶されていてもよく、この場合、属性区分手段１２４は、上位カテゴリーの下位に各カテゴリーを区分したカテゴリー群を設定してもよい。また、このような上位カテゴリーは、地物データとは別に、カテゴリーツリーとして記憶手段１１に記憶されていてもよい。この場合でも同様であり、属性区分手段１２４は、上位カテゴリー毎に下位カテゴリー群を設定し、各下位カテゴリーに対して、対象地物群を設定すればよい。
【００４３】
この後、アイコン配置手段１２５は、対象地物データに基づいて、端末装置２０の表示手段２１に以下に説明するようなアイコンを表示させるためのアイコン表示指令を送信する（Ｓ２０７）。
図４は、本実施形態において表示される地図（アイコン地図）の一表示例を示す図である。
具体的には、アイコン配置手段１２５は、図４に示すように、指定領域Ａｒ１上に、当該指定領域Ａｒ１を示す集約アイコンＩ１を配置させる。この集約アイコンＩ１は、アイコン記憶部１１４に記憶されたアイコン画像であり、例えば指定領域の領域ＩＤと一致するアイコンＩＤを有する。この集約アイコンＩ１は、指定領域Ａｒ１内に存在する地物を集約したことを示すアイコンである。なお、集約アイコンＩ１としては、指定領域の位置によらず（領域ＩＤによらず）、所定の決まったアイコン画像が用いられるものであってもよい。
また、アイコン配置手段１２５は、集約アイコンＩ１上の一部（例えば図４の例では右上の一部）に、対象地物の数を表示する地物数表示部ＧＸを配置してもよい。
【００４４】
また、アイコン配置手段１２５は、集約アイコンＩ１を中心とした仮想円を設定し、この仮想円の外周に沿って、予め設定された個数の第二アイコンＩ２を等角度間隔で、かつ互いに重ならない位置関係で配置する。言い換えれば、アイコン配置手段１２５は、集約アイコンＩ１を中心とした円形状のアイコン表示領域を設定して、その円形状のアイコン表示領域の内部の中心に集約アイコンＩ１を配置し、アイコン表示領域の領域外周縁に沿って第二アイコンＩ２を配置する。この第二アイコンＩ２は、本発明における指定領域内に存在する地物に対応したアイコンに相当する。
これらの第二アイコンＩ２には、代表アイコンＩＲ、及び属性アイコンＩＳが含まれる。代表アイコンＩＲは、指定領域Ａｒ１内に含まれる対象地物の中で、代表選定値である入札額が大きい順に選定された代表地物のアイコンである。
【００４５】
本実施形態では、図４に示すように、３つの代表アイコンＩＲが表示されるものであるため、入札額が１位、２位、３位の地物に対応したアイコンが代表アイコンＩＲとして配置される。なお、地物に対応したアイコンとは、地物データのアイコンＩＤにより特定されるアイコン画像である。
【００４６】
また、アイコン配置手段１２５は、７つの属性アイコンＩＳを表示させる。属性アイコンＩＳは、Ｓ２０６により区分された各対象地物群に対応したカテゴリーに対するアイコンであり、例えばカテゴリー毎に予め設定されている。
また、アイコン配置手段１２５は、指定領域Ａｒ１に存在する対象地物のカテゴリー数に応じて、属性アイコンＩＳの表示数を変更する。つまり、アイコン配置手段１２５は、対象地物のカテゴリーの種類数が少ない場合は、代表アイコンＩＲの数を増大させる。また、属性アイコンＩＳの最大表示数が予め設定されており、例えば、本実施形態では、最大表示数は７となる。したがって、対象地物のカテゴリーの種類数が８以上ある場合であっても、アイコン配置手段１２５は、そのうち、７個のカテゴリーに対応した属性アイコンＩＳしか表示させない。表示させる属性アイコンＩＳの選定方法としては、例えば、所属する地物データが多いカテゴリーを順に取得してもよく、入札額が多い地物が属するカテゴリーを取得してもよい。
【００４７】
そして、アイコン配置手段１２５は、各アイコンＩＲ，ＩＳに対して、代表となる地物の名称を関連付けて、アイコン表示指令を送信する。例えば、アイコン配置手段１２５は、代表アイコンＩＲに対して、当該代表アイコンＩＲに対応した地物名を関連付けさせる。また、アイコン配置手段１２５は、属性アイコンＩＳに対して、当該属性アイコンＩＳに対応した対象地物群のうち、最も入札額が大きい地物データの地物名を関連付けさせる。
なお、アイコン配置手段１２５は、アイコン表示指令として、端末装置２０の表示手段２１に表示されている地図の所定座標位置に対して、集約アイコンＩ１を表示させる位置、各第二アイコンＩ２を表示させる位置、集約アイコンＩ１や第二アイコンＩ２のアイコン画像、及び各アイコン画像に対して関連付けられる代表地物の地物名を含むデータを送信する。
【００４８】
端末装置２０は、Ｓ２０７で送信されたアイコン表示指令を受信すると（Ｓ１０５）、当該アイコン表示指令に従って、図４に示すように、表示手段２１に表示された地図上に各アイコンＩ１，ＩＲ，ＩＳを表示させる（Ｓ１０６）。すなわち、端末装置２０の端末制御手段２４は、地図上にアイコンＩ１，ＩＲ，ＩＳを重畳させて表示させるアイコン表示手段として機能する。
【００４９】
（アイコンの選択処理）
次に、図４に示すようなアイコン配置地図において、アイコンを選択する操作が実施された場合の処理について説明する。
図５は、アイコンが指定された際の処理を示すフローチャートである。図６は、端末装置２０の表示手段２１に表示される地図の一例を示す図である。なお、図６以降の地図表示画面例において、地図や、建築物を示すポリゴンデータを省略するが、実際には、各アイコンは地図やポリゴンデータ上に重畳配置されて表示される。
端末ユーザーにより操作手段２２が操作されることで、端末制御手段２４は、表示手段２１上に表示されるカーソル（マウスカーソル）を当該操作に応じて移動させる。
ここで、端末制御手段２４は、図６に示すように、カーソルＣが各アイコンＩ１，ＩＲ，ＩＳのいずれかの上に移動されたか否かを判定する（Ｓ１０７）。そして、カーソルＣが移動したアイコン上に移動したと判定すると、そのアイコンに対応した地物名（代表地物名）をポップアップ表示させる（Ｓ１０８）。
【００５０】
また、端末制御手段２４は、操作手段２２の操作により、第二アイコンＩ２が選択されたか否かを判定する（Ｓ１０９）。つまり、端末制御手段２４は、カーソルＣが代表アイコンＩＲや属性アイコンＩＳ上に位置する状態で、マウスクリックされるなど、代表アイコンＩＲや属性アイコンＩＳを選択される旨の操作が実施されたか否かを判定する。
Ｓ１０９で、選択操作が実施されていないと判定された場合は、Ｓ１０７の処理に戻る。
一方、Ｓ１０９により、選択操作が実施されたと判定された場合、端末制御手段２４は、第二アイコンＩ２が選択された旨のアイコン選択指令をサーバ装置１０に送信する（Ｓ１１０）。
【００５１】
サーバ装置１０は、アイコン選択指令を受けると（Ｓ２０８）、選択されたアイコンが、代表アイコンＩＲであるか否かを判定する（Ｓ２０９）。
このＳ２０９において、選択されたアイコンが代表アイコンＩＲである場合、ページ転送手段１２６は、当該代表アイコンＩＲに対応する地物データから、広告先ＵＲＬを読み出し、広告先ＵＲＬに記載された地物の広告用Ｗｅｂページを送信させる（広告配信サーバ装置４０に記憶される広告用Ｗｅｂページを端末装置２０に転送する）（Ｓ２１０）。
端末装置２０は、広告用Ｗｅｂページを受信したか否かを判定し（Ｓ１１１）、受信した場合は、表示手段２１に代表アイコンＩＲに対応した地物の広告用Ｗｅｂページを表示させる（Ｓ１１２）。
【００５２】
一方、Ｓ２０９において、「Ｎｏ」と判定された場合、つまり、選択されたアイコンが属性アイコンＩＳであると判定された場合、アイコン配置手段１２５は、属性アイコンＩＳに対応した対象地物群に含まれる対象地物に対応した第三アイコンＩ３を地図上に配置させるアイコン配置指令を端末装置２０に出力する（Ｓ２１１）。言い換えると、属性アイコンＩＳは、対象地物群に含まれる地物を集約したアイコン、すなわち集約アイコンに相当し、この属性アイコンＩＳが選択されることで、アイコン配置手段１２５は、地図上に集約された地物に対応したアイコンである第三アイコンＩ３が配置させる。
具体的には、アイコン配置手段１２５は、図７に示すように、Ｓ１０６で表示されたアイコン表示の外側に、選択された属性アイコンを中心とした属性アイコン群ＧＩＳを配置させるアイコン表示指令を出力する。
ここで、アイコン配置手段１２５は、属性アイコン群ＧＩＳとして、選択された属性アイコンＩＳを中心とした仮想円上に、予め設定された個数の第三アイコンＩ３を等角度間隔で、かつ互いに重ならない位置関係で配置する。これらの第三アイコンＩ３は、選択された属性アイコンＩＳに対応した対象地物群に属する対象地物のアイコンである。
また、属性アイコン群ＧＩＳの中心の属性アイコンＩＳと、第二アイコンＩ２として表示されている属性アイコンＩＳとを結ぶ線Ｌを配置することで、対向するアイコン同士の関係を理解しやすくすることも可能である。
ここで、アイコン配置手段１２５は、代表選定値である入札額が大きい順に対象地物群に属する対象地物を取得して、第三アイコンＩ３として配置させる。
【００５３】
なお、第三アイコンＩ３の表示としては、図７に示す例に限定されない。
例えば、図８に示すように、第二アイコンＩ２の表示間隔が十分に広い場合では、選択された属性アイコンＩＳの周囲に、第三アイコンＩ３を配置させてもよい。
また、図９に示すように、選択された属性アイコンＩＳに対する対象地物群に属する地物に対応した第三アイコンＩ３を一列に配列配置させてもよい。この場合、図９に示すように、縦方向（Ｙ軸方向）に沿って配置されるものに限られず、横方向（Ｘ軸方向）に沿って配置されてもよい。
さらには、図１０に示すように、第三アイコンＩ３の配置に限られず、選択された属性アイコンＩＳに対する対象地物群に属する地物の地物名をリスト表示する表示窓ＷＴを配置してもよい。
また、端末ユーザーによる操作手段２２の操作により、図７から図１０に示すいずれかのアイコン配置方法を選択可能な構成などとしてもよい。
【００５４】
端末装置２０は、上記のようなアイコン配置指令を受信すると（Ｓ１１３）、既に表示されている地図上に、更に、図８から図１０に示すような属性アイコン群ＧＩＳや第三アイコンＩ３、リスト表示用の表示窓ＷＴを表示させる（Ｓ１１４）。
また、端末ユーザーの操作手段２２の操作により、第三アイコンＩ３のいずれかが選択される操作が実施されると、端末制御手段２４は、Ｓ１１０において、代表アイコンＩＲが選択された場合と同様の処理を実施する。
【００５５】
なお、Ｓ１０６において表示される第二アイコンＩ２として、カテゴリーの上位カテゴリーが表示される場合では、第三アイコンＩ３として、下位のカテゴリーに対応した属性アイコンＩＳを表示させる処理をすればよい。
【００５６】
[本実施形態の作用効果]
本実施形態では、ユーザーの操作に基づいて選択された指定領域Ａｒ１を取得する領域取得手段１２２と、指定領域Ａｒ１に存在する地物（対象地物）に対応したアイコンを表示させるためにアイコン表示指令を出力するアイコン配置手段１２５とを備える。
ここで、アイコン配置手段１２５は、地図上に配置するアイコンとして、指定領域Ａｒ１上に、集約アイコンＩ１を配置し、この集約アイコンＩ１が中心に配置された円形のアイコン表示領域を設定し、円形のアイコン表示領域の外周に沿って、集約アイコンＩ１と重ならない位置に、対象地物に対応した複数の第二アイコンＩ２を互いに重ならない状態で配置するアイコン表示指令を出力する。
このような構成の地図出力システム１では、端末装置２０の表示手段２１に表示される地図において、端末ユーザーが指定した指定領域Ａｒ１上に集約アイコンＩ１が表示されることとなる。また、指定領域Ａｒ１に含まれる地物を示す第二アイコンＩ２が、集約アイコンＩ１と重ならない位置に、かつ当該第二アイコンＩ２同士も重ならない状態に表示される。
これにより、端末ユーザーが指定した領域上に集約アイコンＩ１が表示され、指定領域と集約アイコンＩ１との位置がずれることがない。また、指定領域Ａｒ１内に含まれる地物に対応した第二アイコンＩ２が表示されることで、端末ユーザーは、指定領域Ａｒ１内に含まれる地物としてどのような地物があるかを容易に把握することができる。
すなわち、本実施形態の地図出力システム１では、アイコンの重なり合いによる視認性の悪化を回避でき、かつ、集約アイコンＩ１及び第二アイコンＩ２の使い分けにより、各地物の位置を容易に把握することができる。
【００５７】
また、アイコン配置手段１２５は、指定領域Ａｒ１内に集約アイコンＩ１を配置し、この集約アイコンＩ１を中心とした仮想円の円周上に沿って第二アイコンＩ２を配置させるアイコン表示指令を出力する。
これにより、端末装置２０の表示手段２１には、図４に示すように、集約アイコンＩ１を中心とし、第二アイコンＩ２がリング上に配列されたアイコン表示を表示させることができる。また、このようなアイコン表示では、集約アイコンＩ１により、指定領域の位置を示すことができ、かつ、第二アイコンＩ２が規則的に配置されることで、アイコンの配置バランスが良好となり、アイコン視認性を飛躍的に向上させることができる。例えば、第二アイコンＩ２が指定領域内にランダム配置されている場合などに比べ、アイコン内容を確認しやすくなり、端末ユーザーは、目的とするアイコンを容易に見つけることができる。
【００５８】
本実施形態では、サーバ装置１０は、入札受付手段１２７を備え、広告主側端末装置３０から送信される入札額に基づいて、地物データの代表選定値である入札額が設定される。そして、アイコン配置手段１２５は、入札額が大きい対象地物を代表地物とし、代表地物に対応したアイコン画像を代表アイコンＩＲとして配置するアイコン表示指令を出力する。
このため、広告主は、入札額を設定して、サーバ装置１０の管理者に対して入札額を支払うことにより、広告対象の地物を指定領域Ａｒ１における代表地物として地物を宣伝することができ、地物への集客効果を向上させることができる。
また、他の地物の入札額が大きい場合などで、代表アイコンＩＲとして表示されなかった場合でも、アイコン配置手段１２５は、属性アイコンＩＳに、対象地物群の中で入札額が最大である地物の地物名を関連付けたアイコン表示指令を出力する。そして、端末ユーザーの操作手段２２の操作により、表示手段２１に表示された属性アイコンＩＳ上に、カーソルＣが移動された際、端末制御手段２４は、属性アイコンＩＳに対応するカテゴリーの代表地物として、地物名をポップアップ表示させる。
これにより、広告主は、入札額を設定することで、広告対象の地物が代表アイコンＩＲとして表示されなかった場合でも、地物の宣伝効果、地物への集客効果を向上させることができる。
さらに、アイコン配置手段１２５は、属性アイコンＩＳが選択された場合に、入札額が大きい順に対象地物群に含まれる地物に対応したアイコン画像を第三アイコンＩ３として配置するアイコン表示指令を出力してもよい。この場合でも、地物の宣伝効果、地物への集客効果を向上させることができる。
以上のように、地図上でユーザーが指定した領域、すなわちユーザーが興味を持った領域に存在する地物をアイコンで表示することで、ユーザーは、その領域にある地物を容易に確認することができる。また、このアイコンから広告主のページに誘導することができ、広告効果が高まる。また、サーバ装置の運営者は、地図上でのアイコンの表示領域を、新たな広告媒体として提供することができる。
【００５９】
本実施形態では、地物データは、地物の属性を示すデータとしてカテゴリーを有し、属性区分手段１２４は、カテゴリーに基づいて、対象地物を複数の対象地物群に区分する。そして、アイコン配置手段１２５は、各対象地物群に対応した属性アイコンＩＳを第二アイコンＩ２として配置するアイコン表示指令を出力する。
これにより、端末装置２０の表示手段２１には、第二アイコンＩ２として、地物の種別を示す属性アイコンＩＳが表示される。このような属性アイコンＩＳを表示させることで、指定領域Ａｒ１内に含まれる地物が、第二アイコンＩ２の表示可能数を超える場合であっても、指定領域Ａｒ１にどのような地物が含まれるかを表示させることができ、ユーザーの利便性が向上する。
【００６０】
本実施形態では、アイコン配置手段１２５は、端末装置２０により属性アイコンＩＳが選択されると、選択された属性アイコンＩＳに対応する対象地物群に属する対象地物を示す第三アイコンＩ３を配置させるアイコン表示指令を出力する。この時、アイコン配置手段１２５は、各第三アイコンＩ３が互いに重ならない位置関係となるよう第三アイコンＩ３を配置する。このため、第三アイコンＩ３の表示においても、アイコンの重なり合いによる視認性の悪化等の問題を回避できる。
ここで、図７に示すように、第二アイコンＩ２として選択された属性アイコンＩＳと、属性アイコン群ＧＩＳに表示される属性アイコンＩＳとを結ぶ線Ｌを表示したり、図８に示すように、第二アイコンＩ２として選択された属性アイコンＩＳの周囲に第三アイコンＩ３を表示することで、選択されたアイコンＩＳと第三アイコンＩ３との関係性が把握しやすくなり、アイコンを用いた地図表示の利便性をより向上させることができる。
また、図９に示すように、第三アイコンＩ３を一方向に沿って配列したり、図１０に示すように、選択された属性アイコンＩＳに対応する対象地物群に属する対象地物をリスト表示することで、選択されたアイコンＩＳに属する地物の確認が容易になる。
さらに、アイコン配置手段１２５は、入札額が大きい順に対象地物に対応する第三アイコンＩ３を表示させる。これにより、入札額に応じて、広告対象の地物の宣伝効果を向上させることができ、集客効果向上を図ることができる。
【００６１】
［第二実施形態］
次に、本発明に係る第二実施形態について説明する。
上述した第一実施形態では、地物データには、代表選定値として広告主側端末装置３０から入力される入札額が含まれ、アイコン配置手段１２５は、入札額が大きい順に代表アイコンＩＲとして表示される代表地物を選択した。これに対して、第二実施形態では、代表選定値として、他の値を用いる例を説明する。
なお、第二実施形態の地図出力システムは、第一実施形態と略同一の構成を有するため、図１の構成図を用いて、以下説明する。
【００６２】
［サーバ装置の構成］
第二実施形態の地図出力システム１では、記憶手段１１の地物記憶部１１３に記憶される地物データは、地物ＩＤ、地物名、カテゴリー、広告先ＵＲＬ、アイコンＩＤ、ポリゴンＩＤに加え、代表選定値として、クリック数、評価数が含まれる。なお、第一実施形態と同様に、代表選定値として、入札額が含まれるものであってもよい。
【００６３】
ここで、クリック数は、端末ユーザーにより地物が選択された回数である。なお、このクリック数は、サーバ装置１０に接続可能な全ての端末装置２０のユーザーを対象として、地物が選択されたのべ回数を示す値が記録されていてもよいが、例えばユーザーの属性（例えば、性別や、年齢、居住地区等）によりクリック数が分類されていてもよい。例えば、「Ａ地物」に対して、男性が選択した回数、女性が選択した回数など、ユーザーの属性に応じてそれぞれ個別に集計され、各集計結果が地物データとして記憶されていてもよい。
評価数は、地物に対して高評価したユーザー数を示す値である。この評価数は、例えば地物に対する広告用Ｗｅｂページに、端末ユーザーからの評価アンケート集計や口コミ情報登録を可能とするスクリプトを組み込むことで集計することができる。
また、この評価数においても、クリック数と同様に、サーバ装置１０に接続可能な全ての端末装置２０のユーザーを対象として、地物に対して高評価したのべ回数を示す値が記録されていてもよく、例えばユーザーの属性（例えば、性別や、年齢、居住地区等）により高評価数が分類されていて記録されていてもよい。
なお、代表選定値としては、クリック数や評価数に限られず、更に、口コミ数、広告用Ｗｅｂページをブックマークしているユーザー数等などを用いてもよい。
【００６４】
第二実施形態のサーバ装置１０の制御手段１２は、上記第一実施形態の構成に加え、されらに、集計手段及び条件取得手段を備えている。
また、制御手段１２のページ転送手段１２６は、例えば、端末装置２０から代表アイコンＩＲや第三アイコンＩ３が選択された旨のアイコン選択指令を受信すると、当該アイコンに対応した地物の広告用Ｗｅｂページに、評価アンケートの集計や、口コミ情報の登録を可能とする集計スクリプトを組み込んで、端末装置２０に送信する。
集計手段は、端末装置２０から代表アイコンＩＲや第三アイコンＩ３が選択された旨のアイコン選択指令を受信すると、当該アイコンに対応する地物のクリック数に「１」を加算する。また、集計手段は、集計スクリプトによる集計結果に基づいて、地物に対する評価が高評価であると判定した場合は、当該地物に対する評価数に「１」を加算する。
【００６５】
条件取得手段は、端末装置２０から送信される表示設定データを読み込み、代表アイコンＩＲとして表示させる地物の条件を取得する。この表示設定データは、例えば、端末装置２０の表示手段２１に地図を表示させる際の設定データであり、端末ユーザーにより適宜設定することができる。例えば、設定データは、代表アイコンとして「人気店」を表示させるか「高評価店」を表示させる項目を有し、端末ユーザーにより操作手段２２の操作により、当該項目が適宜選択可能となっている。この表示設定データは、例えば、図３におけるＳ１０１において、地図の配信要求と同時に端末装置２０からサーバ装置１０に送信される。
【００６６】
[地図表示処理]
本実施形態では、上記第一実施形態と略同様の処理により地図表示処理が実施されるが、Ｓ２０７の処理が異なる。
すなわち、本実施形態では、図３のＳ２０７において、まず、条件取得手段により表示設定データ（条件）が取得される。
この後、アイコン配置手段１２５は、上記第一実施形態と同様に、集約アイコンＩ１及び第二アイコンＩ２を、指定領域Ａｒ１に配置するアイコン表示指令を出力する。ここで、アイコン配置手段１２５は、代表アイコンＩＲとして、条件取得手段により取得された代表選定値に基づいて、対象地物を選択し、その対象地物に対応するアイコン画像を取得する。例えば、条件取得手段により取得される表示設定データに、「人気店」が設定されている場合、アイコン配置手段１２５は、クリック数が大きい対象地物を代表地物とする。また、条件取得手段により取得される表示設定データに、「高評価店」が設定されている場合、アイコン配置手段１２５は、高評価数が大きい対象地物を代表地物とする。
【００６７】
なお、本実施形態では、クリック数、及び高評価数に基づいて代表アイコンＩＲを選択する例を示したが、例えば、クリック数及び高評価数を双方に基づいて代表アイコンＩＲとしてもよい。例えば、指定領域Ａｒ１内の同一対象地物群における総クリック数に対する地物のクリック数の割合と、指定領域Ａｒ１内の同一対象地物群における総高評価数に対する地物の高評価数の割合との和に基づいて、代表アイコンＩＲを選択するなどとしてもよい。
また、クリック数や高評価数が多い順に代表地物を取得する例を示したが、例えば、アイコン配置手段１２５は、クリック数や高評価数が少ない順、口コミ数が少ない順等によって代表地物を選択して代表アイコンＩＲを配置させる構成などとしてもよい。
【００６８】
[本実施形態の作用効果]
本実施形態では、地物データは、複数の代表選定値（例えばクリック数及び高評価数）を有する。そして、端末装置２０は、代表アイコンＩＲを選択するための代表選定値を設定する条件（表示設定データ）を取得する条件取得手段を有し、アイコン配置手段１２５は、取得した条件に基づいて、対象地物から代表地物を選択し、代表アイコンＩＲを配置するアイコン表示指令を出力する。
このような構成とすることで、端末ユーザーが求める条件に応じた代表地物に対応した代表アイコンＩＲを地図上にアイコン表示させることができる。また、代表アイコンＩＲを表示するための条件を設定し直すことで、より多様な用途に合わせたアイコン地図表示を実施できる。
【００６９】
［第三実施形態］
次に、本発明の第三実施形態について説明する。
なお、第三実施形態の地図出力システムは、第一実施形態と略同一の構成を有するため、図１を用いて、以下説明する。
上記第一及び第二実施形態では、端末装置２０により、地図上に表示された選択可能領域が選択された場合、その選択された領域を指定領域Ａｒ１とし、当該指定領域Ａｒ１に対して地物の検索、アイコン表示を実施した。
この場合、端末ユーザーが所望する地物が指定領域Ａｒ１に存在するか否かを容易に判断することができない場合がある。これに対して、本実施形態では、地物検索を実施した上で、検索対象の地物が含まれる領域に対して集約アイコンＩ１を表示させる点で相違する。
【００７０】
［サーバ装置の構成］
本実施形態のサーバ装置１０の制御手段１２は、上記第一実施形態で説明した各構成に加え、さらに、キーワード取得手段及び領域検索手段を備える。
【００７１】
キーワード取得手段は、端末装置２０から送信される、地物を検索するためのキーワードを取得する。
領域検索手段は、キーワード取得手段により取得されたキーワードに基づいて、地物や地物を含む選択可能領域を検索する。
【００７２】
［地図表示処理］
本実施形態の地図出力システム１では、上記第一実施形態に示すような地図表示に加え、例えばＳ１０３の実施時に、キーワード検索を実施可能とする地図配信ページを端末装置２０に送信する。
具体的には、サーバ装置１０の地図ページ送信手段１２１は、地図配信要求に基づいた地図配信ページを端末装置２０に送信する。この時、地図ページ送信手段１２１は、地図配信ページとして、例えば、地物検索を実施するためのキーワード入力欄や、地物を絞り込むためのジャンル選択部等を、地図配信ページに組み込む。このような地図配信ページを配信することで、端末ユーザーは、キーワード入力欄にキーワードを入力したり、ジャンル選択部を選択したりすることが可能となり、サーバ装置１０の領域検索手段は、端末装置２０から送信されるキーワードや、ジャンル選択部により選択されたジャンルをキーワードとして取得することが可能となる。
【００７３】
そして、サーバ装置１０の領域検索手段は、キーワード取得手段によりキーワードが取得されると、地物記憶部１１３から、例えば地物名やカテゴリー等に、取得されたキーワードが含まれる地物データを検索する。また、領域検索手段は、検索された地物データのポリゴンＩＤを取得し、ポリゴン記憶部１１２のポリゴンデータから、地物が存在する選択可能領域を取得する。
この後、アイコン配置手段１２５は、例えば取得した選択可能領域に対して、集約アイコンＩ１を配置する旨のアイコン表示指令を端末装置２０に出力する。
これにより、端末装置２０の表示手段２１には、図１１に示すように、領域検索手段により検索された地物が存在する領域に対して、集約アイコンＩ１が表示されることになる。
【００７４】
この後、上記第一実施形態のＳ１０４以降の処理が実施されることで、端末ユーザーが指定した指定領域Ａｒ１に対して、集約アイコンＩ１、第二アイコンＩ２を表示することが可能となる。この際、端末制御手段２４は、指定領域Ａｒ１以外の集約アイコンＩ１の表示を非表示にすることで、アイコン同士の重なりを防止することができる。
また、本実施形態では、第二アイコンＩ２の代表アイコンＩＲとして、キーワードに対応した対象地物のアイコンを配置してもよい。この場合、端末ユーザーが求める地物に対応するアイコンを表示させることができる。
【００７５】
［本実施形態の作用効果］
本実施形態の地図出力システム１は、端末装置２０から送信されたキーワードを取得するキーワード取得手段と、取得したキーワードに基づいて、地物を検索し、当該地物が存在する選択可能領域を取得する領域検索手段とを備える。そして、アイコン配置手段１２５は、領域検索手段によりキーワードに対応した地物が存在する選択可能領域が取得されると、当該選択可能領域に対して集約アイコンＩ１を配置させるアイコン表示指令を端末装置２０に出力する。
このような構成では、端末ユーザーが検索したいキーワードに対応した地物を含む領域に集約アイコンＩ１が表示されることになるので、端末ユーザーは、キーサードに対応した地物の位置を容易に把握することができる。また、この際、上記第一及び第二実施形態と同様に、アイコン同士の重なり合いがないため、地図の視認性を良好にできる。さらに、集約アイコンＩ１は、選択可能領域上に表示されるため、実際に地物が存在する位置と、地図上のアイコン位置とがずれることがなく、端末ユーザーは、正確な地物の位置を把握することができる。
【００７６】
［その他の実施形態］
なお、本発明は、上述した実施形態に限定されるものではなく、本発明の目的を達成できる範囲で、以下に示される変形をも含むものである。
上記実施形態では、指定領域として取得可能な選択可能領域として、１つの建築物、又は複数の建築物単位とし、これらの建築物のポリゴンデータに対して地物データを関連付けさせているが、これに限定されない。
例えば、図１２に示すように、選択可能領域を、幹線道路等により囲われる区画単位や、市町村区単位とした広い領域に設定してもよい。この場合でも、地物データに、対応する選択可能領域を示す領域ＩＤが記録されることで、上記発明と同様の処理に、指定領域に対応した地物を検索することができ、検索した地物に基づいて、集約アイコンＩ１、代表アイコンＩＲ、属性アイコンＩＳを地図上に重畳させるアイコン地図表示を実施できる。
【００７７】
また、端末装置２０の表示手段２１に表示される地図の尺度に応じて、指定領域として選択可能な選択可能領域の範囲を変更してもよい。
例えば、建築物のポリゴンデータが表示される所定尺度以上（例えば1/10000以上）では、上記第一実施形態と同様に、建築物や複数の建築物のまとまりを単位とする狭領域を選択可能領域とする。一方、端末ユーザーの操作等により、地図の尺度が小さくされた場合（例えば1/25000〜1/10000）、例えば図１２に示すように、幹線道路等により囲われる区画単位を、選択可能領域とする。また、更に尺度が小さく変更された場合、更に広い範囲（例えば市町村区単位）を選択可能領域などとする。
このように、選択可能領域を、尺度によって切り替える構成とすることで、地図の尺度が小さくなった場合であっても、アイコンの重なり合いを回避することができ、地図視認性を向上させることができる。
【００７８】
上記実施形態では、地物の属性データとして、カテゴリーが記録される例を示したが、これに限定されない。
属性データとしては、地物を分類するいかなるデータが記録されていてもよく、上記実施形態で示した地物の種別の他、地物の位置等を示すデータが記録されていてもよい。例えば、複数階のフロアを有するビル等の内部に存在する地物（施設）では、種別データとして、地物が存在する階数が記録されていてもよい。また、テーマパークでは、テーマパーク内のエリア番号等が記録されていてもよい。
【００７９】
上記第一実施形態では、図４に示すように、集約アイコンＩ１を中心とした所定径寸法の仮想円の円周上に沿って、第二アイコンＩ２を表示される例を示したが、これに限定されない。例えば、集約アイコンＩ１の配置位置が仮想円の中心から偏心していてもよい。また、仮想円に限られず、集約アイコンＩ１を中心とした仮想矩形外周に沿って、第二アイコンＩ２が配置されていてもよい。さらには、指定領域Ａｒ１の内部に集約アイコンＩ１を配置させ、指定領域Ａｒ１の外周縁に沿って第二アイコンＩ２を配置させてもよい。
さらに、図１３に示すように、集約アイコンＩ１の近傍で、一方向（例えば横方向）に沿ったアイコン表示領域を設定し、このアイコン表示領域内に第二アイコンＩ２を一列に配置してもよい。
【００８０】
上記実施形態では、第二アイコンＩ２として、代表アイコンＩＲ及び属性アイコンＩＳを表示させる例を示したが、例えば、代表アイコンＩＲのみを表示させる処理をしてもよく、属性アイコンＩＳのみを表示させる処理をしてもよい。また、代表アイコンＩＲのみの表示、属性アイコンＩＳのみの表示、双方のアイコンＩＲ，ＩＳの表示を選択可能な構成としてもよく、各アイコンＩＲ，ＩＳの表示数を設定可能な構成としてもよい。
また、地物数表示部ＧＸが表示されない構成としてもよい。
【００８１】
第三アイコンＩ３の表示方法としては、図７〜図１０に示した表示例に限定されず、更に他の表示方法を採ってもよい。例えば、集約アイコンＩ１及び第二アイコンＩ２を消去し、代わりに、属性アイコン群ＧＩＳを表示させてもよい。
【００８２】
また、指定領域Ａｒ１に存在する地物のカテゴリーが多い場合、例えば、８以上のカテゴリーが存在する場合、そのうち７つのカテゴリーに対応した属性アイコンＩＳを表示させる例を示したが、これに限定されない。例えば、アイコン配置手段１２５は、図１４や図１５に示すように、第二アイコンＩ２を切り替えるための切替アイコンＩＮを別途表示させるように、アイコン表示指令を出力してもよい。この場合、アイコン配置手段１２５は、アイコン表示指令と同時に、切り替え可能な第二アイコンＩ２（代表アイコンＩＲや属性アイコンＩＳ）を端末装置２０に出力する。そして、端末ユーバーによる操作手段２２の操作により、切替アイコンＩＮが選択されると、端末制御手段２４は、第二アイコンＩ２を例えばスクロール移動させ、新たな第二アイコンＩ２を表示させる。
なお、図１４や図１５では、第二アイコンＩ２を切り替えるための切替アイコンＩＮを例示したが、第三アイコンＩ３の表示に対しても同様である。つまり、アイコン配置手段１２５は、対象地物群に属する対象地物数が、表示可能な第三アイコンＩ３の数以上である場合、別途切替アイコンＩＮを表示させるアイコン表示指令を出力し、同時に、切り替え可能な第三アイコンＩ３を端末装置２０に出力する。これにより、端末装置２０の表示手段２１には、第三アイコンＩ３と共に切替アイコンＩＮが表示される。そして、端末ユーザーによる操作手段２２の操作により、切替アイコンＩＮが選択されると、端末制御手段２４は、表示されている第三アイコンＩ３を余分に受信した他の第三アイコンＩ３に切り替えて表示させる。
【００８３】
上記第一実施形態では、サーバ装置１０に設けられるアイコン配置手段１２５からアイコン表示指令を出力する構成を例示したが、これに限定されない。すなわち、端末装置２０の表示手段２１に、上述したアイコン配置で地図を表示可能な構成であれば、当該アイコン配置手段１２５は、サーバ装置１０に設けられる構成であっても、端末装置２０に設けられる構成であってもよい。
例えば、各端末装置２０に、アイコン配置手段１２５が設けられる構成では、サーバ装置１０から端末装置２０に、指定領域Ａｒ１に対応した集約アイコンＩ１、代表アイコンＩＲ、属性アイコンＩＳのアイコン画像を送信する。そして、端末装置２０のアイコン配置手段１２５は、図４や、図７から図１０、図１３から図１５のいずれかに示すように、地図上にアイコンを配置して表示させる。
このような構成であっても、上記第一実施形態と同様の作用効果を得ることができる。
【００８４】
また、例えば、端末装置２０の端末記憶手段２３に地図記憶部１１１、ポリゴン記憶部１１２が設けられ、端末制御手段２４が地図ページ送信手段１２１、領域取得手段１２２、属性区分手段１２４、及びアイコン配置手段１２５として機能する構成としてもよい。
この場合、サーバ装置１０は、各端末装置２０の領域取得手段１２２により取得された指定領域Ａｒ１に含まれる地物を検索し、端末装置２０に送信するだけでよく、例えば、多数の端末装置２０からのアクセスが集中した場合であっても、迅速な処理を実施できる。また、端末装置２０は、取得した対象地物データに基づいて、上記第一実施形態と同様に、属性区分手段１２４による属性区分を実施し、アイコン配置手段１２５により地図上にアイコンを配置して表示させることができる。
【００８５】
その他、本発明の実施の際の具体的な構造および手順は、本発明の目的を達成できる範囲で他の構造などに適宜変更できる。
【符号の説明】
【００８６】
１…地図出力システム（地図出力装置）、１０…サーバ装置、１１…記憶手段、１２…制御手段、２０…端末装置、２１…表示手段、２２…操作手段、２３…端末記憶手段、２４…端末制御手段、３０…広告主側端末装置、４０…広告配信サーバ装置、１１１…地図記憶部、１１２…ポリゴン記憶部、１１３…地物記憶部、１１４…アイコン記憶部、１２１…地図ページ送信手段、１２２…領域取得手段、１２３…対象地物取得手段、１２４…属性区分手段、１２５…アイコン配置手段、１２６…ページ転送手段、１２７…入札受付手段、Ａｒ１…指定領域、Ｉ１…集約アイコン、Ｉ２…第二アイコン、Ｉ３…第三アイコン、ＩＲ…代表アイコン、ＩＳ…属性アイコン（集約アイコン）。
【図１】
0005542116.tif 000004
【図２】
0005542116.tif 000005
【図３】
0005542116.tif 000006
【図４】
0005542116.tif 000007
【図６】
0005542116.tif 000008
【図７】
0005542116.tif 000009
【図８】
0005542116.tif 000010
【図９】
0005542116.tif 000011
【図１０】
0005542116.tif 000012
【図１１】
0005542116.tif 000013
【図１２】
0005542116.tif 000014
【図１３】
0005542116.tif 000015
【図１４】
0005542116.tif 000016
【図１５】
0005542116.tif 000017
【図５】
0005542116.tif 000018